(57)【要約】【課題】ＶＯＤ再生装置において、ユ−ザがＶＯＤアイコンの表示／非表示を設定可能にし、所望のＶＯＤアイコンを探しやすくする。【解決手段】ＩＰＴＶは、ＶＯＤサ−ビスを含む各サ−ビスに対応するアイコンの表示／非表示の設定情報を格納したアイコン表示設定テ−ブルを記憶している。ユ−ザによってメニュー画面の表示が指示されと、ＩＰＴＶは、アイコン表示設定テ−ブルの内容に基づいて、ユ−ザによって表示するように設定されているアイコンと、表示しないように設定されているアイコンとを判断する。そして、ＩＰＴＶは、表示させるアイコンについて、ルートメニュー画面にアイコンを表示させる。（ａ）のルートメニュー画面では、ＶＯＤサ−ビスＡ、Ｂ、Ｄ〜ＧのアイコンＩ１〜Ｉ６と、設定メニュ−のアイコンＩ７が表示され、ＶＯＤサ−ビスＣのＶＯＤアイコンが非表示である。【選択図】図４
2012049745.tif 000002
【特許請求の範囲】
【請求項１】
配信要求に応じてＶＯＤ（Ｖｉｄｅｏ  Ｏｎ  Ｄｅｍａｎｄ）コンテンツを配信するＶＯＤサ−バと接続され、
前記ＶＯＤサ−バから受信したＶＯＤコンテンツを表示するための表示手段と、
前記ＶＯＤサ−バに対応したコンテンツ配信サ−ビスを表すＶＯＤアイコンを前記表示手段に表示するための表示制御手段とを備え、ユ−ザによって前記ＶＯＤアイコンが選択されると、前記ＶＯＤサ−バに対して該ＶＯＤアイコンに対応するコンテンツ配信サ−ビスの要求を行うＶＯＤ再生装置において、
ユ−ザによって操作され、前記表示手段に前記ＶＯＤアイコンを表示するか否かの設定を指示するための表示設定操作手段と、
前記表示設定操作手段による前記ＶＯＤアイコンの表示設定を記憶するための表示設定記憶手段とをさらに備え、
前記表示制御手段は、前記表示設定記憶手段に記憶された前記ＶＯＤアイコンの表示設定において、表示するように設定されている前記ＶＯＤアイコンを前記表示手段に表示し、表示しないように設定されている前記ＶＯＤアイコンを前記表示手段に表示しないことを特徴とするＶＯＤ再生装置。
【発明の詳細な説明】
【技術分野】
【０００１】
本発明は、ＶＯＤ（Ｖｉｄｅｏ  Ｏｎ  Ｄｅｍａｎｄ）コンテンツを再生可能なＶＯＤ再生装置に関する。
【背景技術】
【０００２】
近年、映画やスポ−ツなどのコンテンツをユ−ザが見たい時に観ることができる、所謂ＶＯＤサ−ビスが知られており、このＶＯＤサ−ビスに対応したＩＰＴＶ（Ｉｎｔｅｒｎｅｔ  Ｐｒｏｔｏｃｏｌ  Ｔｅｌｅｖｉｓｉｏｎ）が普及している。この種のＩＰＴＶは、ユ−ザによってＶＯＤコンテンツの視聴が指示された時に、コンテンツ配信サ−バに対して、ユ−ザによって視聴が指示されたＶＯＤコンテンツの配信要求を行い、コンテンツ配信サ−バから配信されたＶＯＤコンテンツを受信して再生を行う。
【０００３】
ところで、従来から、グラフィカルユーザインタフェース（ＧＵＩ）の機能を有し、各種の動作指示に対応するアイコンをディスプレイに表示させ、ユ−ザによってアイコンが選択されると、そのアイコンに対応する動作を行うＩＰＴＶが知られている。これにより、ユ−ザはＩＰＴＶの直感的な操作が可能となる。例えば、ユ−ザは、ＶＯＤコンテンツを視聴したいときに、所望のＶＯＤサ−ビスに対応するアイコンを選択して再生ボタンを押下すると、ＩＰＴＶは、ユ−ザによって選択されたアイコンに対応するＶＯＤサ−ビスの配信要求をコンテンツ配信サ−バに行うと共に、コンテンツ配信サ−バから受信したＶＯＤコンテンツの再生を行う。
【０００４】
しかしながら、上記ＩＰＴＶでは、ユ−ザにとって不要なアイコンもディスプレイに表示されるため、ディスプレイ上に表示されるアイコンが多くなり、ユ−ザはその中から所望のアイコンを探し出さなければならず、手間が掛かるという問題がある。また、暴力的な描写や性的な描写が多く、子どもにとって有害なＶＯＤコンテンツを配信するＶＯＤサ−ビスのアイコンを子どもが誤って選択することにより、有害なＶＯＤコンテンツが再生されてしまうという問題もさらにある。
【０００５】
これに対して、特許文献１には、各チャンネルのコンテンツオブジェクトにおいて強調される時間スロットに関連するタイトルオブジェクトのみを表示すると共に、非強調にされる時間スロットに関連するタイトルオブジェクトを被覆する双方向情報配信システム用ユーザインターフェイスが開示されている。しかしながら、この双方向情報配信システム用ユーザインターフェイスは、タイトルオブジェクトの表示／非表示を行うだけであり、動作指示を行うためのアイコンの表示／非表示を行うものではないため、上記問題を解決できない。
【０００６】
また、特許文献２には、ペアレンタルロックが解除されていないときに、電子番組ガイドの縮小画面にアダルトジャンルを表示しないようにして、アダルトジャンルが不用意に電子番組ガイドとして表示されるのを防止する電子番組ガイド表示制御装置が開示されている。しかしながら、この電子番組ガイド表示制御装置でも上記問題を解決できない。
【先行技術文献】
【特許文献】
【０００７】
【特許文献１】特表２００２−５２１９３１号公報
【特許文献２】特許第３５３６９４８号
【発明の概要】
【発明が解決しようとする課題】
【０００８】
本発明は、上述した問題点を解決するためになされたものであり、ユ−ザがＶＯＤアイコンの表示／非表示を設定可能であり、所望のＶＯＤアイコンを探しやすいＶＯＤ再生装置を提供することを目的とする。
【課題を解決するための手段】
【０００９】
上記目的を達成するために請求項１の発明は、配信要求に応じてＶＯＤ（Ｖｉｄｅｏ  Ｏｎ  Ｄｅｍａｎｄ）コンテンツを配信するＶＯＤサ−バと接続され、前記ＶＯＤサ−バから受信したＶＯＤコンテンツを表示するための表示手段と、前記ＶＯＤサ−バに対応したコンテンツ配信サ−ビスを表すＶＯＤアイコンを前記表示手段に表示するための表示制御手段とを備え、ユ−ザによって前記ＶＯＤアイコンが選択されると、前記ＶＯＤサ−バに対して該ＶＯＤアイコンに対応するコンテンツ配信サ−ビスの要求を行うＶＯＤ再生装置において、ユ−ザによって操作され、前記表示手段に前記ＶＯＤアイコンを表示するか否かの設定を指示するための表示設定操作手段と、前記表示設定操作手段による前記ＶＯＤアイコンの表示設定を記憶するための表示設定記憶手段とをさらに備え、前記表示制御手段は、前記表示設定記憶手段に記憶された前記ＶＯＤアイコンの表示設定において、表示するように設定されている前記ＶＯＤアイコンを前記表示手段に表示し、表示しないように設定されている前記ＶＯＤアイコンを前記表示手段に表示しないものである。
【発明の効果】
【００１０】
本発明によれば、ユ−ザによって表示するように設定されているＶＯＤアイコンを表示手段に表示し、表示しないように設定されているＶＯＤアイコンを表示手段に表示しない。そのため、ユ−ザは必要としないコンテンツ配信サ−ビスに対応するＶＯＤアイコンを表示しないようにできるので、ユ−ザが所望のＶＯＤアイコンを探しやすくなる。また、子どもにとって有害なＶＯＤサ−ビスに対応するＶＯＤアイコンを表示しないようにすることができるので、子どもが有害なＶＯＤアイコンを誤って選択することを防ぐことができる。
【図面の簡単な説明】
【００１１】
【図１】本発明の一実施形態に係るＩＰＴＶと、このＩＰＴＶに接続されたＶＯＤサ−バとを含むＶＯＤサ−ビス提供システムの構成図。
【図２】上記ＩＰＴＶの制御部の内部構成を示すブロック図。
【図３】上記ＩＰＴＶのアイコン表示設定テ−ブルの構成を示すリスト。
【図４】上記ＩＰＴＶのディスプレイの表示されるアイコンを示す説明図。
【図５】上記ＩＰＴＶにおけるルートメニュー表示処理の手順を示すフローチャート。
【図６】上記ＩＰＴＶにおけるアイコン表示／非表示設定処理の手順を示すフローチャート。
【図７】上記ＩＰＴＶのディスプレイに表示されるアイコン表示／非表示設定画面の一例を示す説明図。
【発明を実施するための形態】
【００１２】
以下、本発明の一実施形態に係るＩＰＴＶ（Ｉｎｔｅｒｎｅｔ  Ｐｒｏｔｏｃｏｌ  Ｔｅｌｅｖｉｓｉｏｎ：請求項におけるＶＯＤ再生装置）について、図１乃至図３を参照して説明する。図１は、ＶＯＤ（Ｖｉｄｅｏ  Ｏｎ  Ｄｅｍａｎｄ）コンテンツを配信する複数のＶＯＤサ−バ２ａ〜２ｄと、この複数のＶＯＤサ−バ２ａ〜２ｄにインタ−ネット３を介して接続されたＩＰＴＶ１０とを含むＶＯＤサ−ビス提供システム１を示す。図２は、ＩＰＴＶ１０の制御部１８の内部構成を示し、図３は、アイコン表示設定テ−ブル１３ｄの構成を示す。なお、ＶＯＤサ−バ２は、複数のＶＯＤ２ａ〜２ｄの総称である。
【００１３】
ＶＯＤサ−バ２は、ＩＰＴＶ１０から送信されたＶＯＤコンテンツの配信要求を受信し、この配信要求に応じたＶＯＤコンテンツをＩＰＴＶ１０に配信するものである。ＩＰＴＶ１０は、ユ−ザによる操作指示に応じたＶＯＤコンテンツの配信要求をＶＯＤサ−バ２に送信し、ＶＯＤサ−バ２から配信されたＶＯＤコンテンツを受信して再生するものである。ユ−ザによる操作指示は、ＩＰＴＶ１０のディスプレイ１４に表示されたアイコンを選択することによって行なわれる。例えば、ユ−ザによって所望のＶＯＤサ−ビスのアイコン（以下、ＶＯＤアイコンという）が選択されると、ＩＰＴＶ１０は、ユ−ザによって選択されたＶＯＤアイコンに対応するＶＯＤコンテンツの配信要求をＶＯＤサ−バ２に対して送信する。
【００１４】
ＩＰＴＶ１０は、放送局から放送されるテレビ番組を受信するチューナ部１１と、ネットワークカード１２と、各種情報を記憶するためのＲＡＭ（Ｒａｎｄｏｍ  Ａｃｃｅｓｓ  Ｍｅｍｏｒｙ）１３と、ＶＯＤコンテンツやＴＶ番組の映像を表示するディスプレイ（表示手段）１４とを備える。また、ＩＰＴＶ１０は、ＶＯＤコンテンツやＴＶ番組の音声を出力するスピ−カ１５と、リモコン（表示設定操作手段）１６から送信されるリモコン信号を受信するリモコン信号受信部１７と、ＩＰＴＶ１０の各部を制御する制御部（表示制御手段）１８とをさらに備える。
【００１５】
ネットワークカード１２は、ＬＡＮ５と接続されている。ＬＡＮ５は、インタ−ネット３に対して送受信されるパケットの通信制御を行うためのル−タ４と接続されている。
【００１６】
ＲＡＭ１３は、制御部１８を動作させるためのプログラム１３ａと、メニューテーブル１３ｂと、アイコン画像テ−ブル１３ｃと、アイコン表示設定テ−ブル（表示設定記憶手段）１３ｄとを記憶している。
【００１７】
メニューテーブル１３ｂは、ル−トメニュ−等に表示するアイコンの種類や配置を格納している。アイコン画像テ−ブル１３ｃは、ＶＯＤサ−ビスを含む各サ−ビスに対するアイコン画像を格納している。アイコン表示設定テ−ブル１３ｄは、ＶＯＤサ−ビスを含む各サ−ビスに対応するアイコンの表示／非表示の設定情報を格納している。例えば図３に示すように、アイコン表示設定テ−ブル１３ｄは、ＶＯＤサ−ビスＡとＶＯＤサ−ビスＢのＶＯＤアイコンを表示する設定情報や、ＶＯＤサ−ビスＣのアイコンを非表示にする設定情報を格納している。また、アイコン表示設定テ−ブル１３ｄは、アダルトＶＯＤサ−ビスＨのアイコンを非表示にする設定情報を格納している。
【００１８】
リモコン１６は、ユ−ザによって操作される複数のボタンを有し、ユ−ザによる、ＶＯＤアイコンの選択や、ＶＯＤコンテンツの再生指示や、ＶＯＤアイコンの表示／非表示設定の指示等に応じたリモコン信号をＩＰＴＶ１０に送信する。
【００１９】
制御部１８は、図２に示すように、信号通信部２１と、ＭＰＥＧ−ＴＳ処理部２２と、セキュリティ処理部２３と、メディア復号部２４と、グラフィックプロセッサ２５と、レンダリング部２６と、信号出力処理部２７と、ＣＰＵ（表示制御手段）２８とを有する。
【００２０】
信号通信部２１は、ＶＯＤサ−バ２に対してＶＯＤコンテンツの配信を要求するための信号を送信する。また、信号通信部２１は、ＶＯＤサ−バ２からＶＯＤコンテンツの映像信号を受信し、この映像信号からＴＳ（トランスポートストリーム）パケットの取得を行う。
【００２１】
ＭＰＥＧ−ＴＳ処理部２２は、信号通信部２１によって取得されたＴＳパケットの多重分離処理を行う。セキュリティ処理部２３は、ＭＰＥＧ−ＴＳ処理部２２から出力されたＶＯＤコンテンツのパケットにかけられている暗号化を復号する処理を行う。メディア復号部２４は、セキュリティ処理部２３によって暗号化が復号された信号に対して映像信号や音声信号のデコ−ド処理を行う。
【００２２】
グラフィックプロセッサ２５は、ＣＰＵ２８の画像描画指示命令に基づいて、画面イメ−ジを描写し、画像信号としてレンダリング部２６に出力する。レンダリング部２６は、メディア復号部２４によってデコ−ドされた映像信号と、グラフィックプロセッサ２５から出力された画像信号とを重畳すると共に、メディア復号部２４から出力された音声信号と時刻同期をとって信号出力処理部２７に出力する。
【００２３】
信号出力処理部２７は、レンダリング部２６から出力された映像信号及び音声信号を所定の出力形式に変換してディスプレイ１４とスピ−カ１５に出力する。例えば、信号出力処理部２７は、映像信号をＤ端子コンポ−ネント信号に変換し、音声信号をアナログ音声信号に変換して出力する。
【００２４】
ＣＰＵ２８は、リモコン信号受信部１７から出力されるリモコン信号、及びＲＡＭ１３に記憶しているプログラム１３ａや各種テーブル１３ｂ〜１３ｄの内容に基づいて、ＩＰＴＶ１０の各種動作を制御する。具体的には例えば、アイコン表示設定テ−ブル１３ｄの内容に基づいて、ディスプレイ１４に表示させるアイコンの画像表示についてグラフィックプロセッサ２５に画像の描画指示を行う。
【００２５】
次に、ディスプレイ１４上のメニュ−画面のアイコン表示について、図４を参照して説明する。図４（ａ）は、ディスプレイ１４に表示されるルートメニュー画面のアイコン表示を示す。ルートメニュー画面では、ＶＯＤアイコンＩ１〜Ｉ６と、設定メニュ−のアイコンＩ７とが表示され、ＶＯＤサ−ビスＣのＶＯＤアイコンが非表示である。
【００２６】
ディスプレイ１４に表示されるメニュ−画面は、複数のペ−ジから構成されており、例えば、ユ−ザがスクロールバ−Ｃ１を下方（図中の白矢印方向）に移動させることにより、次ペ−ジのメニュ−画面が表示される。具体的には例えば、図４（ｂ）は、次ペ−ジのメニュ−画面であり、このメニュ−画面にはＶＯＤアイコンＩ１１〜Ｉ１８が表示される。なお、メニュ−画面の表示遷移は階層構造であってもよく、例えば設定メニュ−のアイコンを選択することにより、上記次ぺ−ジに相当する次階層のメニュ−画面が表示されてもよい。
【００２７】
次に、ディスプレイ１４のアイコン表示処理の手順について、図５に示すフローチャートを参照して説明する。ここでは、ユ−ザによってルートメニュー画面の表示が指示されるものとする。
【００２８】
まず、ユ−ザがリモコン１６を操作することによりルートメニュー画面の表示を指示すると（Ｓ１）、ＣＰＵ２８は、ＲＡＭ１３のメニューテーブル１３ｂ、アイコン画像テ−ブル１３ｃ、及びアイコン表示設定テ−ブル１３ｄの内容を読込む（Ｓ２）。そして、ＣＰＵ２８は、アイコン表示設定テ−ブル１３ｄの内容に基づいて、ユ−ザによって表示するように設定されているアイコンと、表示しないように設定されているアイコンとを判断する（Ｓ３）。
【００２９】
そして、ＣＰＵ２８は、表示させるアイコンについて、アイコン画像テ−ブル１３ｃのアイコン画像に基づいて画像描画指示命令をグラフィックプロセッサ２５に出力し（Ｓ４）、ディスプレイ１４にルートメニュー画面のアイコンを表示させる（Ｓ５）。なお、ここではルートメニュー画面におけるアイコンの表示処理について示したが、他のメニュ−画面のアイコンの表示処理についても同様であるため、その説明は省略する。
【００３０】
次に、ユ−ザによるアイコン表示／非表示設定について、図６及び図７を参照して説明する。図６は、アイコン表示／非表示設定処理の手順を示すフローチャートである。図７は、ディスプレイ１４に表示されるアイコン表示／非表示設定画面の一例を示す。
【００３１】
まず、ユ−ザがリモコン１６を操作して、前出の図４（ａ）に示される設定メニュ−のアイコンＩ７を選択し、アイコン表示／非表示設定画面を読み出すと（Ｓ１１）、制御部１８は、パスワ−ドの入力画面を表示して、ユ−ザにパスワ−ドの入力を促す（Ｓ１２）。ユ−ザがパスワ−ドを入力し（Ｓ１３）、ユ−ザによって入力されたパスワ−ドが正しい場合（Ｓ１４でＹＥＳ）、制御部１８は、ディスプレイ１４にアイコン表示／非表示設定画面を表示する（Ｓ１５）。
【００３２】
上記Ｓ１５で表示されるアイコン表示／非表示設定画面は、例えば、図７に示す画面である。ディスプレイ１４に表示されるアイコン表示／非表示設定画面は、複数のＶＯＤアイコンＩ１、Ｉ２、Ｉ８と、表示設定ボタンＢ１と、非表示設定ボタンＢ２と、カ−ソル枠Ｃ１１とから構成される。表示／非表示設定は、カ−ソル枠Ｃ１１が位置しているＶＯＤアイコンに対して行なわれる。すなわち、カ−ソル枠Ｃ１１内にＶＯＤアイコンが表示されているときに、表示設定ボタンＢ１又は非表示設定ボタンＢ２を選択すると、カ−ソル枠Ｃ１１内のＶＯＤアイコンに対して、表示／非表示の設定が行われる。カ−ソル枠Ｃ１１内に表示するＶＯＤアイコンは、変更可能であり、例えば、ユ−ザがリモコン１６の上下キ−を操作することにより、カ−ソル枠Ｃ１１内のＶＯＤアイコンが順次切り替わる。カ−ソル枠Ｃ１１内には、ＶＯＤアイコン以外に、コンテンツのアイコンも表示される。
【００３３】
そして、アイコンを非表示に設定する場合（Ｓ１６でＹＥＳ）、ユ−ザによって非表示にしたいアイコンが選ばれ、非表示設定ボタンＢ２が選択されると（Ｓ１７）、制御部１８は、ユ−ザによって選ばれたアイコンを非表示にする設定情報をアイコン表示設定テ−ブル１３ｄに格納する（Ｓ１８）。具体的には例えば、ＶＯＤサ−ビスＣのアイコンが選択されて、非表示設定ボタンＢ２が押下された場合、制御部１８は、ＶＯＤサ−ビスＣのアイコンを非表示にする設定情報をアイコン表示設定テ−ブル１３ｄに格納する。
【００３４】
一方、アイコンを表示に設定する場合（Ｓ１６でＮＯ）、ユ−ザによって表示にしたいアイコンが選ばれ、表示設定ボタンＢ１が選択されると（Ｓ１９）、制御部１８は、ユ−ザによって選ばれたアイコンを表示にする設定情報をアイコン表示設定テ−ブル１３ｄに格納する（Ｓ２０）。具体的には例えば、ＶＯＤサ−ビスＡのアイコンが選択されて、表示設定ボタンＢ１が押下された場合、制御部１８は、ＶＯＤサ−ビスＡのアイコンを非表示にする設定情報をアイコン表示設定テ−ブル１３ｄに格納する。
【００３５】
一方、上記Ｓ１３でユ−ザによって入力されたパスワ−ドが正しくない場合（Ｓ１４でＮＯ）、上記Ｓ１５以降の処理を行わない。すなわち、ディスプレイ１４にアイコン表示／非表示設定画面は表示されない。
【００３６】
上述したように、本実施形態に係るＩＰＴＶ１０においては、アイコン表示／非表示設定処理によるアイコンの表示／非表示設定に基づいて、ユ−ザによって表示するように設定されているＶＯＤアイコンをディスプレイ１４に表示し、表示しないように設定されているＶＯＤアイコンをディスプレイ１４に表示しない。そのため、ユ−ザは必要としないＶＯＤアイコンをディスプレイ１４に表示しないようにできるので、ユ−ザが所望のＶＯＤアイコンを探しやすくなる。また、子どもにとって有害なＶＯＤサ−ビスに対応するＶＯＤアイコンを非表示にできるので、子どもが有害なＶＯＤアイコンを誤って選択することを防ぐことができる。
【００３７】
なお、本発明は、上記実施形態の構成に限られず、発明の趣旨を変更しない範囲で種々の変形が可能である。例えば、上記実施形態において、有害なコンテンツのアイコンを非表示に設定（変更）可能にした例を示したが、これに限られず、有害なコンテンツのアイコンを予め自動的に非表示に設定してもよい。
【符号の説明】
【００３８】
２、２ａ〜２ｄ  ＶＯＤサ−バ（コンテンツ配信サ−バ）
１０  ＩＰＴＶ（ＶＯＤ再生装置）
１４  ディスプレイ（表示手段）
１６  リモコン（表示設定操作手段）
１８  制御部（表示制御手段）
１３ｄ  アイコン表示設定テ−ブル（表示設定記憶手段）
【図１】
2012049745.tif 000003
【図２】
2012049745.tif 000004
【図３】
2012049745.tif 000005
【図４】
2012049745.tif 000006
【図５】
2012049745.tif 000007
【図６】
2012049745.tif 000008
【図７】
2012049745.tif 000009